(57)【要約】【課題】  送信エラーが発生した場合に，自動的にエラーを回避して再送信することができる画像処理装置，画像データ作成装置及びファクシミリ送信プログラムを提供すること。【解決手段】  本発明の画像処理装置１１は，複数のファクシミリサーバ１２の１つを選択して画像データを送信し，その画像データをそのファクシミリサーバ１２から宛先へファクシミリ送信させる。さらに，選択したファクシミリサーバ１２から宛先へのファクシミリ送信が失敗したか否かを判断するエラー判断手段と，エラー判断手段により失敗したと判断された場合に，各ファクシミリサーバ１２に付けられた優先順位に基づいて，再送信に使用するファクシミリサーバ１２を選択する送信サーバ選択手段と，送信サーバ選択手段が選択したファクシミリサーバ１２に画像データを送信し，宛先へその画像データをファクシミリ送信させる再送信手段とを有する。【選択図】            図１
2005136459.tif 000002
【特許請求の範囲】
【請求項１】
複数のファクシミリサーバの１つを選択し，選択したファクシミリサーバへ画像データを送信し，その画像データをそのファクシミリサーバから宛先へファクシミリ送信させる画像処理装置において，
選択したファクシミリサーバから宛先へのファクシミリ送信が失敗したか否かを判断するエラー判断手段と，
前記エラー判断手段により失敗したと判断された場合に，各ファクシミリサーバに付けられた優先順位に基づいて，再送信に使用するファクシミリサーバを選択する送信サーバ選択手段と，
前記送信サーバ選択手段が選択したファクシミリサーバに画像データを送信し，宛先へその画像データをファクシミリ送信させる再送信手段とを有することを特徴とする画像処理装置。
【請求項２】
請求項１に記載する画像処理装置において，
各ファクシミリサーバの優先順位を記憶する優先順位記憶部を有し，
前記送信サーバ選択手段は，前記優先順位記憶部に記憶されている優先順位に従い，高い優先順位のファクシミリサーバから順に，使用するファクシミリサーバを選択することを特徴とする画像処理装置。
【請求項３】
請求項１に記載する画像処理装置において，
宛先のファクシミリ番号に基づいて，各ファクシミリサーバの優先順位を決定する優先順位決定手段を有し，
前記送信サーバ選択手段は，前記優先順位決定手段が決定した優先順位に従い，高い優先順位のファクシミリサーバから順に，使用するファクシミリサーバを選択することを特徴とする画像処理装置。
【請求項４】
請求項３に記載する画像処理装置において，
前記優先順位決定手段は，各ファクシミリサーバの位置情報と宛先のファクシミリ番号とに基づいて，宛先への距離が短いまたは通信料金が低いファクシミリサーバほど優先順位を高くすることを特徴とする画像処理装置。
【請求項５】
画像データを作成し，複数のファクシミリサーバの１つを選択し，作成した画像データを選択したファクシミリサーバへ送信し，その画像データをそのファクシミリサーバから宛先へファクシミリ送信させる画像データ作成装置において，
選択したファクシミリサーバから宛先へのファクシミリ送信が失敗したか否かを判断するエラー判断手段と，
前記エラー判断手段により失敗したと判断された場合に，各ファクシミリサーバに付けられた優先順位に基づいて，再送信に使用するファクシミリサーバを選択する送信サーバ選択手段と，
前記送信サーバ選択手段が選択したファクシミリサーバに画像データを送信し，宛先へその画像データをファクシミリ送信させる再送信手段とを有することを特徴とする画像データ作成装置。
【請求項６】
画像データ作成機能を有するコンピュータに，複数のファクシミリサーバの１つを選択させ，作成した画像データを選択したファクシミリサーバへ送信させ，その画像データをそのファクシミリサーバから宛先へファクシミリ送信させるファクシミリ送信プログラムにおいて，コンピュータに，
選択したファクシミリサーバから宛先へのファクシミリ送信が失敗したか否かを判断するエラー判断手順，
前記エラー判断手順にて失敗したと判断された場合に，各ファクシミリサーバに付けられた優先順位に基づいて，再送信に使用するファクシミリサーバを選択する送信サーバ選択手順，および，
前記送信サーバ選択手順で選択したファクシミリサーバに画像データを送信し，宛先へその画像データをファクシミリ送信させる再送信手順を実行させることを特徴とするファクシミリ送信プログラム。
【請求項７】
請求項６に記載するファクシミリ送信プログラムにおいて，コンピュータに，
前記エラー判断手順では，
選択したファクシミリサーバへの送信後所定時間内にそのファクシミリサーバから受信通知を受け取らなかった場合と，
選択したファクシミリサーバへの送信後所定時間内にそのファクシミリサーバから送信エラー通知を受け取った場合とに，ファクシミリ送信が失敗したと判断させ，
前記送信サーバ選択手順では，選択したファクシミリサーバを示すアドレスデータを発生させ，
前記再送信手順では，前記送信サーバ選択手順で発生させたアドレスデータに基づいて，その画像データを含む電子メールを送信させることを特徴とするファクシミリ送信プログラム。
【発明の詳細な説明】
【技術分野】
【０００１】
本発明は，画像データを処理するための画像処理装置，画像データ作成装置及びファクシミリ送信プログラムに関する。さらに詳細には，ファクシミリサーバに対して，画像データをメール送信可能な画像処理装置，画像データ作成装置及びファクシミリ送信プログラムに関するものである。
【背景技術】
【０００２】
従来より，スキャナ等によって入力された画像データをファクシミリ送信するに際し，まずファクシミリサーバにメール送信し，ファクシミリサーバによって相手先のファクシミリ装置へ送信させる画像処理装置がある。この画像処理装置を含むシステムでは，例えば複数の画像処理装置と複数のファクシミリサーバとがＬＡＮ等のネットワークで互いに接続され，メールによるデータの送受信が可能にされている。また，各ファクシミリサーバは，公衆電話回線を介して外部のファクシミリ装置と通信可能であり，ファクシミリ用の画像データを外部のファクシミリ装置に送信できる。
【０００３】
このようなシステムにおいて，画像データのメール送信やファクシミリ送信等に際しては，各装置や回線等の不具合による送信エラーが発生する可能性がある。このような送信エラーが発生した場合は一般に，再送信の手続きを行う。エラーの発生箇所やその原因により対処方法は様々であるが，場合によってはエラー回避方法をユーザが探す必要があり，かなり面倒なものであった。それに対して，メール送信エラーが発生した場合の再送信を簡易にできるようにしたシステム（例えば，特許文献１参照。）や，ファクシミリ送信の送信エラーが発生しにくい回線を選択的に使用するシステム（例えば，特許文献２参照。）等が提案されている。
【特許文献１】特開２００２−１５２４５５号公報
【特許文献２】特開２００２−５１２０３号公報
【発明の開示】
【発明が解決しようとする課題】
【０００４】
しかしながら，前記した従来の各システムでは，いずれもユーザが再送信の手続きをしなければならないという問題点があった。特許文献１に記載の技術では，エラー発生時には，例えば圧縮方法を変更する等の送信条件を変更する手続きをとることが前提となっている。そのため，再送信の手続きは，当然ユーザが行うものとされている。また，特許文献２に記載の技術では，初回の送信にエラー発生率の低い回線を選択するのみであり，それでもエラーであった場合の再送信に関しては特に記載されていない。また，回線エラーを避けるあまり，常時，通信料金の高い回線を使用するということになりかねないという問題点もあった。
【０００５】
本発明は，前記した従来の技術が有する問題点を解決するためになされたものである。すなわちその課題とするところは，送信エラーが発生した場合に，自動的にエラーを回避して再送信することができる画像処理装置，画像データ作成装置及びファクシミリ送信プログラムを提供することにある。
【課題を解決するための手段】
【０００６】
この課題の解決を目的としてなされた本発明の画像処理装置は，複数のファクシミリサーバの１つを選択し，選択したファクシミリサーバへ画像データを送信し，その画像データをそのファクシミリサーバから宛先へファクシミリ送信させる画像処理装置であって，選択したファクシミリサーバから宛先へのファクシミリ送信が失敗したか否かを判断するエラー判断手段と，エラー判断手段により失敗したと判断された場合に，各ファクシミリサーバに付けられた優先順位に基づいて，再送信に使用するファクシミリサーバを選択する送信サーバ選択手段と，送信サーバ選択手段が選択したファクシミリサーバに画像データを送信し，宛先へその画像データをファクシミリ送信させる再送信手段とを有するものである。
【０００７】
本発明の画像処理装置によれば，複数の中から選択されたファクシミリサーバを介して，画像データが宛先へファクシミリ送信される。ここで，エラー判断手段によって宛先へのファクシミリ送信が失敗したと判断された場合には，再送信手段によって画像データが再送信される。このとき，再送信に使用されるファクシミリサーバは，送信サーバ選択手段によって優先順位に基づいて選択される。すなわち，送信エラーが発生した場合には，画像処理装置が別のルートを探して再送信する。これにより，ユーザが再送信手続きを行う必要はなく，また，再び送信エラーとなる可能性を低下させることができる。従って，送信エラーが発生した場合に，自動的にエラーを回避して再送信することができる画像処理装置となっている。
【０００８】
さらに本発明では，各ファクシミリサーバの優先順位を記憶する優先順位記憶部を有し，送信サーバ選択手段は，優先順位記憶部に記憶されている優先順位に従い，高い優先順位のファクシミリサーバから順に，使用するファクシミリサーバを選択することが望ましい。
このようにすれば，再送信に使用するファクシミリサーバは優先順位に従って選択されるので，より望ましいものから順に試行される。
【０００９】
さらに本発明では，宛先のファクシミリ番号に基づいて，各ファクシミリサーバの優先順位を決定する優先順位決定手段を有し，送信サーバ選択手段は，優先順位決定手段が決定した優先順位に従い，高い優先順位のファクシミリサーバから順に，使用するファクシミリサーバを選択することが望ましい。
このようにすれば，宛先のファクシミリ番号に応じて優先順位が決定されるので，それぞれより望ましいものから試行される。
【００１０】
さらに本発明では，優先順位決定手段は，各ファクシミリサーバの位置情報と宛先のファクシミリ番号とに基づいて，宛先への距離が短いまたは通信料金が低いファクシミリサーバほど優先順位を高くすることが望ましい。
このようにすれば，宛先への距離や通信料金に基づいて優先順位が決定されるので，それぞれより望ましいものから試行される。
【００１１】
また本発明は，画像データを作成し，複数のファクシミリサーバの１つを選択し，作成した画像データを選択したファクシミリサーバへ送信し，その画像データをそのファクシミリサーバから宛先へファクシミリ送信させる画像データ作成装置であって，選択したファクシミリサーバから宛先へのファクシミリ送信が失敗したか否かを判断するエラー判断手段と，エラー判断手段により失敗したと判断された場合に，各ファクシミリサーバに付けられた優先順位に基づいて，再送信に使用するファクシミリサーバを選択する送信サーバ選択手段と，送信サーバ選択手段が選択したファクシミリサーバに画像データを送信し，宛先へその画像データをファクシミリ送信させる再送信手段とを有する画像データ作成装置にも及ぶ。
【００１２】
また本発明は，画像データ作成機能を有するコンピュータに，複数のファクシミリサーバの１つを選択させ，作成した画像データを選択したファクシミリサーバへ送信させ，その画像データをそのファクシミリサーバから宛先へファクシミリ送信させるファクシミリ送信プログラムにおいて，コンピュータに，選択したファクシミリサーバから宛先へのファクシミリ送信が失敗したか否かを判断するエラー判断手順，エラー判断手順にて失敗したと判断された場合に，各ファクシミリサーバに付けられた優先順位に基づいて，再送信に使用するファクシミリサーバを選択する送信サーバ選択手順，および，送信サーバ選択手順で選択したファクシミリサーバに画像データを送信し，宛先へその画像データをファクシミリ送信させる再送信手順を実行させるファクシミリ送信プログラムにも及ぶ。
【００１３】
さらに本発明では，エラー判断手順では，選択したファクシミリサーバへの送信後所定時間内にそのファクシミリサーバから受信通知を受け取らなかった場合と，選択したファクシミリサーバへの送信後所定時間内にそのファクシミリサーバから送信エラー通知を受け取った場合とに，ファクシミリ送信が失敗したと判断させ，送信サーバ選択手順では，選択したファクシミリサーバを示すアドレスデータを発生させ，再送信手順では，送信サーバ選択手順で発生させたアドレスデータに基づいて，その画像データを含む電子メールを送信させることが望ましい。
【００１４】
このようにすれば，ファクシミリサーバへの送信が不到達であった場合と，ファクシミリサーバからのファクシミリ送信時に送信エラーであった場合とに，ファクシミリ送信が失敗したと判断され，再送信が実行される。このとき，送信サーバ選択手順において発生されたアドレスデータに基づいて，再送信手順によって再送信されるので，ユーザが再送信手続きを行う必要はない。
【発明の効果】
【００１５】
本発明の画像処理装置，画像データ作成装置及びファクシミリ送信プログラムによれば，送信エラーが発生した場合に，自動的にエラーを回避して再送信することができる。
【発明を実施するための最良の形態】
【００１６】
以下，本発明を具体化した最良の形態について，添付図面を参照しつつ詳細に説明する。本形態は，ファクシミリ送信用の画像データを，ファクシミリサーバへのメール送信を介して発信できる画像処理装置を利用した画像処理システムである。
【００１７】
本形態の画像処理システム１は，図１に示すように，それぞれ複数の画像処理装置１１とファクシミリサーバ１２とがＬＡＮ２１によって互いに接続されている。ファクシミリサーバ１２は，外部のファクシミリ装置１３と公衆電話回線２２を介して通信可能である。さらに，画像処理装置１１に限らず，パソコン１４もＬＡＮ２１に接続されている。ファクシミリサーバ１２は，例えば，会社の支店ごと等に設置され，これを介することで画像処理装置１１から直接ファクシミリ装置１３にファクシミリ送信するよりも効率的に送信処理することができる。また，ファクシミリ装置１３は，公衆電話回線２２を介して画像データの送受信を行う一般的なものである。
【００１８】
画像処理装置１１は，図２に示すように，制御部３１を中心に，スキャナ部３２，入力部３３，表示部３４，プリンタ部３５，記憶部３６，通信部３７が設けられている。スキャナ部３２は，用紙上の画像を読み取って画像データとして入力する。入力部３３は，入力キー等を備え，ユーザによる指示や宛先ファクシミリ番号（電話番号）等の入力を受け付ける。表示部３４は，ユーザに向けてのメッセージ等を表示する。プリンタ部３５は，画像データ等を用紙に印刷する。記憶部３６は，画像データや入力部３３から入力された入力データ等を記憶する。通信部３７は，ＬＡＮ２１を介して他の機器，特にファクシミリサーバ１２との通信を行う。
【００１９】
ここで，画像処理装置１１の記憶部３６には，図３に示すように，利用できるファクシミリサーバ１２のそれぞれについての設定用情報が書き込まれたサーバ管理データ４１が用意されている。サーバ管理データ４１には，各ファクシミリサーバ１２ごとについて，Ｐｒｅｆｉｘデータ４２とＳｕｆｆｉｘデータ４３とがセットにされたアドレス設定情報４４が含まれている。これは，そのファクシミリサーバ１２にファクシミリ送信を指示するためのメール送信アドレスの一部となるものである。
【００２０】
さらに，画像処理装置１１では，ファクシミリ送信が指示されると宛先ファクシミリ番号に応じて，図４に示すような優先順位情報４５を作成する。優先順位情報４５は，各ファクシミリサーバ１２のサーバ名を優先順位順に並べたものであり，記憶部３６に記憶される。この優先順位情報４５の作成のために，記憶部３６には，例えば図５，図６に示すような電話料金データ４６やサーバ順位データ４７が保存されている。
【００２１】
図５に示した電話料金データ４６は，各宛先ファクシミリ番号の市外局番に応じて，各ファクシミリサーバ１２からの単位時間当たりの通信料金（電話料金）を表にしたものである。画像処理装置１１の制御部３１は，指定された宛先ファクシミリ番号の市外局番に応じてこの表を参照し，各ファクシミリサーバ名を通信料金が低い順に並べ替えた優先順位情報４５を作成し，記憶部３６に記憶しておく。
あるいは，通信料金の代わりに地理的距離のデータを利用してもよい。ファクシミリサーバ１２から宛先のファクシミリ装置１３までの地理的距離が近ければ，送信経路の途中での回線の不具合等によるエラーの発生率が小さいと考えられるからである。そこで，制御部３１は，各ファクシミリサーバ名を地理的距離の近い順に並べ替えた優先順位情報４５を作成し，記憶部３６に記憶してもよい。
【００２２】
あるいは，図６に示すように，宛先ファクシミリ番号の市外局番ごとに，あらかじめ各サーバの優先順位を設定したサーバ順位データ４７を用意してもよい。また，しばしば送信される宛先については，専用の優先順位情報４５をあらかじめ用意しておいて使用するようにしてもよい。また，制御部３１によって作成された優先順位情報４５の一部を，ユーザが変更して設定できるようにしてもよい。
【００２３】
あるいは，優先順位情報４５をファクシミリ送信の都度作成する代わりに，図７に示すように，優先順位情報を各ファクシミリサーバ１２のアドレス設定情報４４とともにあらかじめ組み込んだサーバ管理データ５１を作成しておいてもよい。またあるいは，各ファクシミリサーバ１２についてのアドレス設定情報４４を優先順位順に並べた管理データを作成しておいてもよい。これらの場合には，優先順位情報４５は不要である。
【００２４】
次に，ファクシミリサーバ１２について説明する。ファクシミリサーバ１２は，ファクシミリ送信用の画像データをＬＡＮ２１経由でメール受信し，指示されたファクシミリ装置１３にその画像データを公衆電話回線２２経由でファクシミリ送信するものである。ファクシミリサーバ１２にファクシミリ送信を指示するメールを送信する場合には，そのファクシミリサーバ１２のＰｒｅｆｉｘデータ４２とＳｕｆｆｉｘデータ４３に宛先のファクシミリ装置１３の電話番号である宛先ファクシミリ番号を加えて，メールアドレスを構成する。すなわち，送信メールアドレスは，「Ｐｒｅｆｉｘデータ」＋「宛先ファクシミリ番号」＋「Ｓｕｆｆｉｘデータ」となる。
【００２５】
この形式のアドレス宛でメール受信した場合に，ファクシミリサーバ１２はまず，メール受信したことを送信元に通知する。その後，アドレス中から宛先ファクシミリ番号を取り出して，メール受信した画像データをその宛先へファクシミリ送信する。そして，もしファクシミリ送信がエラーとなった場合には，送信エラーのためファクシミリ送信が完了していないことをメール送信元へ通知する。
【００２６】
次に，画像処理装置１１による一般的なファクシミリ送信手順について説明する。ユーザは，ファクシミリ送信用の画像データを用意し，宛先ファクシミリ装置１３の電話番号を入力して，画像形成装置１１にファクシミリ送信を指示する。画像形成装置１１は，そのファクシミリ送信に適切なファクシミリサーバ１２を選択し，サーバ管理データ４１からそのファクシミリサーバ１２のＰｒｅｆｉｘデータ４２とＳｕｆｆｉｘデータ４３とを読み出す。そして，入力された宛先ファクシミリ番号と組み合わせて構成したメールアドレスに宛てて，画像データをメール送信する。このメールを受信したファクシミリサーバ１２は，上記のように宛先ファクシミリ番号へその画像データをファクシミリ送信する。
【００２７】
次に，本形態の画像処理システム１の制御方法について，図８に示すフローチャートを使用して説明する。ユーザはまず，スキャナ部３２によるデータ入力や通信部３７を介したデータ受信等により，ファクシミリ送信用の画像データを画像処理装置１１に用意し，画像処理装置１１の入力部３３から宛先ファクシミリ番号を入力する。この指示入力によって，この処理の実行は開始される。以後の処理は，画像形成装置１１の制御部３１によって実行される。
【００２８】
画像処理装置１１は，まず入力された宛先ファクシミリ番号に基づいて，使用するファクシミリサーバ１２を決定する（Ｓ１０１）。この決定方法は，例えば，前述の優先順位に基づいてその１位のものとしてもよい。あるいは，初回のみはユーザが指定したものを使用したり，特定のファクシミリサーバ１２を使うとしてもよい。
【００２９】
次に，画像処理装置１１は，決定されたファクシミリサーバ１２に画像データをメール送信する（Ｓ１０２）。このときの送信メールアドレスは，サーバ管理データ４１からＳ１０１で決定されたファクシミリサーバ１２のＰｒｅｆｉｘデータ４２とＳｕｆｆｉｘデータ４３とを読み出し，入力された宛先ファクシミリ番号と組み合わせることによって設定される。
【００３０】
次に，画像処理装置１１は，Ｓ１０２でメール送信したファクシミリサーバ１２からのメール受信通知を待つ（Ｓ１０３）。ファクシミリサーバ１２は，メール受信したときにはまず，送信元に受信通知を返信するからである。ここで，所定の時間経過してもメール受信通知が得られない場合は（Ｓ１０３：Ｎｏ），メール送信エラーであると考えられる。
【００３１】
あるいは，メール受信通知が得られた場合は（Ｓ１０３：Ｙｅｓ），さらに所定時間待って，ファクシミリ送信のエラー通知が返信されてきたか否かを判断する（Ｓ１０４）。ファクシミリサーバ１２は，行ったファクシミリ送信が送信エラーとなった場合には，そのことを送信元に通知する。すなわち，ファクシミリサーバ１２からファクシミリ送信のエラー通知があれば（Ｓ１０４：Ｙｅｓ），ファクシミリ送信は完了していない。また所定時間経過しても，ファクシミリ送信のエラー通知がない場合は（Ｓ１０４：Ｎｏ），ファクシミリ送信が正常に終了したと判断されるのでこの処理を終了する。
【００３２】
正常にファクシミリ送信が終了しなかった場合には（Ｓ１０３：Ｎｏ，または，Ｓ１０４：Ｙｅｓ），画像処理装置１１は，優先順位情報４５を参照し，次の順位のファクシミリサーバ１２を選択する。そのためにまず，次位のファクシミリサーバ１２がまだあるかどうかを確認する（Ｓ１０５）。次位のファクシミリサーバ１２があれば（Ｓ１０５：Ｙｅｓ），そのファクシミリサーバ１２を選択する。そして，新たに選択されたファクシミリサーバ１２について，サーバ管理データ４１からそのＰｒｅｆｉｘデータ４２とＳｕｆｆｉｘデータ４３とを読み出し，初めに指示された宛先ファクシミリ番号と組み合わせて新たなメールアドレスを設定する。このメールアドレスに先ほどの画像データをメール送信する（Ｓ１０２）。
【００３３】
そして，同様にファクシミリサーバ１２からの返信を待ち，Ｓ１０３〜Ｓ１０４の判断を行う。ファクシミリ送信に成功した場合は（Ｓ１０４：Ｎｏ），正常に終了したのでこの処理を終了する。一方再び，このファクシミリサーバ１２へのメール送信に失敗した場合（Ｓ１０３：Ｎｏ）やファクシミリ送信に失敗した場合（Ｓ１０４：Ｙｅｓ）には，再度のやり直しである。画像処理装置１１は，優先順位情報４５を参照して次位のファクシミリサーバ１２を選択する。そして，同様に再び送信処理を行う。
【００３４】
このように送信を繰り返し，優先順位情報４５に次位のファクシミリサーバ１２がなくなった場合には（Ｓ１０５：Ｎｏ），表示部３４に送信不可であったというメッセージを表示して（Ｓ１０７），この処理を終了する。この表示は，すぐに行ってもよいし，ユーザから何らかの入力等があったときに表示するようにしてもよい。また，表示部３４への表示に代えて，プリンタ部３５への出力によって行ってもよい。
【００３５】
以上詳細に説明したように，本形態の画像処理装置１１によれば，ファクシミリ装置１３へファクシミリ送信するに際し，ファクシミリサーバ１２を介して行う。そのとき，ファクシミリサーバ１２へのメール送信エラーや，ファクシミリサーバ１２からファクシミリ装置１３へのファクシミリ送信エラーが発生した場合には，優先順位情報４５に基づいて他のファクシミリサーバ１２を選択して再送信処理を行う。すなわち，何らかのエラーが発生した場合，その経路を回避して他の経路が自動的に選択されて送信される。これにより，送信エラーが発生した場合に，自動的にエラーを回避して再送信することができる画像処理装置となっている。
【００３６】
なお，本実施の形態は単なる例示にすぎず，本発明を何ら限定するものではない。したがって本発明は当然に，その要旨を逸脱しない範囲内で種々の改良，変形が可能である。
例えば，本形態では，各ファクシミリサーバ１２のサーバ管理データ４１および優先順位情報４５を，画像処理装置１１の記憶部３６に記憶しているが，これに限らず，他の記憶装置から読み出すようにしてもよい。
また例えば，本形態では特に明記していないが，同一の条件による送信についても所定回数のリトライをしてもよい。
また例えば，パソコン１４からも同様に送信できる。
【図面の簡単な説明】
【００３７】
【図１】本形態に係る画像処理システムの概略構成を示すブロック図である。
【図２】画像処理装置の概略構成を示すブロック図である。
【図３】サーバ管理データの例を示す説明図である。
【図４】優先順位情報の例を示す説明図である。
【図５】優先順位作成用データの例を示す説明図である。
【図６】優先順位作成用データの例を示す説明図である。
【図７】サーバ管理データの例を示す説明図である。
【図８】画像処理システムの処理を示すフローチャートである。
【符号の説明】
【００３８】
１１  画像処理装置（画像処理装置，画像データ作成装置，コンピュータ）
１２  ファクシミリサーバ
１３  ファクシミリ装置（宛先）
３１  制御部（エラー判断手段，送信サーバ選択手段，再送信手段，優先順位決定手段）
３６  記憶部（優先順位記憶部
４５  優先順位情報（優先順位）
【図１】
2005136459.tif 000003
【図２】
2005136459.tif 000004
【図３】
2005136459.tif 000005
【図４】
2005136459.tif 000006
【図５】
2005136459.tif 000007
【図６】
2005136459.tif 000008
【図７】
2005136459.tif 000009
【図８】
2005136459.tif 000010